【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
絶縁基板に形成された繋がった円形リング形状で少なくとも三つ以上の導出部が導出された抵抗素子層と、その抵抗素子層と所定の絶縁ギャップを空けて対向配置された導電部と、傾倒動作、ならびに押し下げ操作に伴う上下動動作が可能に配され、上記傾倒動作で上記抵抗素子層と上記導電部とを部分的な接触状態に移行させる操作部材と、上記操作部材への押し下げ操作時に、押し下げられて作動される中央位置に配設されたスイッチとを備え、上記操作部材の傾倒動作により上記抵抗素子層と上記導電部とが部分的な接触状態に移行された状態で、上記抵抗素子層の導出部のうち、二つの導出部を選択し、その導出部間に所定電圧を印加して上記導電部からの出力電圧で二箇所の第１候補を検出し、その後、上記抵抗素子層の導出部のうち、上記とは異なる組み合わせとなる二つの導出部を選択し、その導出部間に所定電圧を印加して上記導電部からの出力電圧で二箇所の第２候補を検出し、上記第１および第２候補で重複する位置を接触位置として特定する制御がされ、また、上記操作体の押し下げ操作状態とした際に、上記スイッチのみが作動されるよう、上記の抵抗素子層と導電部との対向配置部分に対し、上記操作体の上記対向配置部分押圧用に設けられた突起の高さ位置が設定された多方向入力装置。
【請求項２】
絶縁基板に形成された繋がった円形リング形状で少なくとも三つ以上の導出部が導出された抵抗素子層と、その抵抗素子層と所定の絶縁ギャップを空けて対向配置された導電部と、水平方向への直線的な移動動作、ならびに押し下げ操作に伴い上下動動作が可能に配され、上記水平方向への移動動作で下面に装着された弾性部材が共に移動されて、上記抵抗素子層と上記導電部とを部分的な接触状態に移行させる操作部材と、上記操作部材への押し下げ操作時に、押し下げられて作動される中央位置に配設されたスイッチとを備え、上記操作部材の水平方向への移動動作により上記抵抗素子層と上記導電部とが部分的な接触状態に移行された状態で、上記抵抗素子層の導出部のうち、二つの導出部を選択し、その導出部間に所定電圧を印加して上記導電部からの出力電圧で二箇所の第１候補を検出し、その後、上記抵抗素子層の導出部のうち、上記とは異なる組み合わせとなる二つの導出部を選択し、その導出部間に所定電圧を印加して上記導電部からの出力電圧で二箇所の第２候補を検出し、上記第１および第２候補で重複する位置を接触位置として特定する制御がされ、また、上記操作体の押し下げ操作状態とした際に、上記スイッチのみが作動されるよう、上記の抵抗素子層と導電部との対向配置部分に対し、上記操作体に装着された上記弾性部材が、上記対向配置部分における上記抵抗素子層の形成箇所から外れた位置に位置する構成とされた多方向入力装置。
【請求項３】
導電部として、出力用端子を一体形成した平坦な導電金属板製の平面基板が用いられ、その平面基板が上記出力用端子を外方に突出させて中央位置にスイッチを有したケースに配され、この平面基板の上方位置に所定の絶縁ギャップを空けて下面に抵抗素子層が形成された絶縁基板が配され、その抵抗素子層は三つ以上の導出部を有し、上記導出部それぞれには、上記ケースに固定された導電性の弾性脚が各々弾接されて上記各弾性脚に繋がる入力用端子がそれぞれ上記ケースから突出した構成とされ、操作部材への操作で上記抵抗素子層と上記平面基板とが部分的に接触された状態で、上記入力用端子を介して上記抵抗素子層への電圧印加が行われると共に、上記出力用端子から導出信号が得られる請求項１または２記載の多方向入力装置。
【請求項４】
抵抗素子層の導出部それぞれに入力用端子を有する絶縁基板が、上記各入力用端子を外方に突出させてケースに固定されると共に、その抵抗素子層の上方位置に所定の絶縁ギャップを空けて出力用端子を一体形成した弾性を有する導電金属板からなる平面基板が配された構成とされ、操作部材への操作で上記抵抗素子層と上記平面基板とが部分的に接触された状態で、上記入力用端子を介して上記抵抗素子層への電圧印加が行われると共に、上記出力用端子から導出信号が得られる請求項１または２記載の多方向入力装置。
【請求項５】
絶縁基板に形成された円形リング状の抵抗素子層に所定の絶縁ギャップを空けて導電部が対向配置され、操作部材の操作により、上記抵抗素子層と上記導電部とを部分的に接触させた状態で、上記抵抗素子層に電圧を印加してそれによって得られる導出信号を基に上記接触位置を検出する多方向入力装置を備え、上記操作部材への操作で上記抵抗素子層と上記導電部とを部分的に接触させた状態での導出信号によって操作方向を検出し、また所定時間内に検出された結果に応じて、その接触部分に対応する方向へのカーソルなどの移動速度を可変させるように制御したことを特徴とする多方向入力装置を備えた電子機器。
【請求項６】
所定時間内に略同一位置の抵抗素子層と導電部との部分的な接触した導出信号が二度続けて検出された場合、または所定時間以上の上記導出信号が継続して検出された場合に、その接触部分に対応する方向へのカーソルなどの移動速度を可変させるように制御した請求項５記載の多方向入力装置を備えた電子機器。
【手続補正２】
【補正対象書類名】明細書
【補正対象項目名】発明の名称
【補正方法】変更
【補正の内容】
【発明の名称】多方向入力装置および多方向入力装置を備えた電子機器
【手続補正３】
【補正対象書類名】明細書
【補正対象項目名】０００１
【補正方法】変更
【補正の内容】
【０００１】
本発明は、携帯電話、情報端末、ゲーム機器およびリモートコントローラ等の各種電子機器の入力操作用に使用される多方向入力装置および多方向入力装置を備えた電子機器に関するものである。
【手続補正４】
【補正対象書類名】明細書
【補正対象項目名】００１０
【補正方法】変更
【補正の内容】
【００１０】
本発明は、このような従来の課題を解決するものであり、近年の小型化された電子機器に使用できる大きさであって、しかも入力できる方向の数を多くできる、すなわち入力方向の分解能が高い多方向入力装置および多方向入力装置を備えた電子機器を提供することを目的とする。
【手続補正５】
【補正対象書類名】明細書
【補正対象項目名】００１２
【補正方法】変更
【補正の内容】
【００１２】
本発明の請求項１に記載の発明は、絶縁基板に形成された繋がった円形リング形状で少なくとも三つ以上の導出部が導出された抵抗素子層と、その抵抗素子層と所定の絶縁ギャップを空けて対向配置された導電部と、傾倒動作、ならびに押し下げ操作に伴う上下動動作が可能に配され、上記傾倒動作で上記抵抗素子層と上記導電部とを部分的な接触状態に移行させる操作部材と、上記操作部材への押し下げ操作時に、押し下げられて作動される中央位置に配設されたスイッチとを備え、上記操作部材の傾倒動作により上記抵抗素子層と上記導電部とが部分的な接触状態に移行された状態で、上記抵抗素子層の導出部のうち、二つの導出部を選択し、その導出部間に所定電圧を印加して上記導電部からの出力電圧で二箇所の第１候補を検出し、その後、上記抵抗素子層の導出部のうち、上記とは異なる組み合わせとなる二つの導出部を選択し、その導出部間に所定電圧を印加して上記導電部からの出力電圧で二箇所の第２候補を検出し、上記第１および第２候補で重複する位置を接触位置として特定する制御がされ、また、上記操作体の押し下げ操作状態とした際に、上記スイッチのみが作動されるよう、上記の抵抗素子層と導電部との対向配置部分に対し、上記操作体の上記対向配置部分押圧用に設けられた突起の高さ位置が設定された多方向入力装置としたものである。当該構成であれば、抵抗素子層とこれに対向する導電部と操作部材のみの簡単な構成で、その抵抗素子層の円形リングの３６０度の全方向に亘って分解能の高い検出ができる多方向入力装置を実現できるという作用を有する。また、操作体の傾倒動作時での操作位置を検出する際には、汎用のマイクロコンピュータなどを用いることによって、高速で抵抗素子層の各導出部への印加点等を切り換え、得られる導出信号を演算処理することにより、上記接触位置を高分解能に検出できるものにできるという作用を有する。
【手続補正６】
【補正対象書類名】明細書
【補正対象項目名】００１３
【補正方法】変更
【補正の内容】
【００１３】
本発明の請求項２に記載の発明は、絶縁基板に形成された繋がった円形リング形状で少なくとも三つ以上の導出部が導出された抵抗素子層と、その抵抗素子層と所定の絶縁ギャップを空けて対向配置された導電部と、水平方向への直線的な移動動作、ならびに押し下げ操作に伴い上下動動作が可能に配され、上記水平方向への移動動作で下面に装着された弾性部材が共に移動されて、上記抵抗素子層と上記導電部とを部分的な接触状態に移行させる操作部材と、上記操作部材への押し下げ操作時に、押し下げられて作動される中央位置に配設されたスイッチとを備え、上記操作部材の水平方向への移動動作により上記抵抗素子層と上記導電部とが部分的な接触状態に移行された状態で、上記抵抗素子層の導出部のうち、二つの導出部を選択し、その導出部間に所定電圧を印加して上記導電部からの出力電圧で二箇所の第１候補を検出し、その後、上記抵抗素子層の導出部のうち、上記とは異なる組み合わせとなる二つの導出部を選択し、その導出部間に所定電圧を印加して上記導電部からの出力電圧で二箇所の第２候補を検出し、上記第１および第２候補で重複する位置を接触位置として特定する制御がされ、また、上記操作体の押し下げ操作状態とした際に、上記スイッチのみが作動されるよう、上記の抵抗素子層と導電部との対向配置部分に対し、上記操作体に装着された上記弾性部材が、上記対向配置部分における上記抵抗素子層の形成箇所から外れた位置に位置する構成とされた多方向入力装置としたものである。当該構成であっても、請求項１のものと同様に、抵抗素子層の円形リングの３６０度の全方向に亘って分解能の高い検出ができる多方向入力装置に実現でき、また、操作体の水平方向への直線的な移動動作時での操作位置を検出する際には、汎用のマイクロコンピュータなどを用いることによって、高速で抵抗素子層の各導出部への印加点等を切り換え、得られる導出信号を演算処理することにより、上記接触位置を高分解能に検出できるものにできるという作用を有する。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
本発明の請求項３に記載の発明は、請求項１または２記載の発明において、導電部として、出力用端子を一体形成した平坦な導電金属板製の平面基板が用いられ、その平面基板が上記出力用端子を外方に突出させて中央位置にスイッチを有したケースに配され、この平面基板の上方位置に所定の絶縁ギャップを空けて下面に抵抗素子層が形成された絶縁基板が配され、その抵抗素子層は三つ以上の導出部を有し、上記導出部それぞれには、上記ケースに固定された導電性の弾性脚が各々弾接されて上記各弾性脚に繋がる入力用端子がそれぞれ上記ケースから突出した構成とされ、操作部材への操作で上記抵抗素子層と上記平面基板とが部分的に接触された状態で、上記入力用端子を介して上記抵抗素子層への電圧印加が行われると共に、上記出力用端子から導出信号が得られるものであり、平面基板を導電金属板で構成したため、少ない部品点数および組立工数で安価な多方向入力装置を得ることができる。また、抵抗素子層に所定電圧を印加するための弾性脚を、ケースに固定したものであるため、弾性脚の位置や寸法精度が高くでき、所定の弾接圧力で抵抗素子層の導出部に確実に弾接させることができるため、印加電圧を損失少なく確実に抵抗素子層に伝達させることができるという作用を有する。
【手続補正１７】
【補正対象書類名】明細書
【補正対象項目名】００２４
【補正方法】変更
【補正の内容】
【００２４】
本発明の請求項４に記載の発明は、請求項１または２記載の発明において、抵抗素子層の導出部それぞれに入力用端子を有する絶縁基板が、上記各入力用端子を外方に突出させてケースに固定されると共に、その抵抗素子層の上方位置に所定の絶縁ギャップを空けて出力用端子を一体形成した弾性を有する導電金属板からなる平面基板が配された構成とされ、操作部材への操作で上記抵抗素子層と上記平面基板とが部分的に接触された状態で、上記入力用端子を介して上記抵抗素子層への電圧印加が行われると共に、上記出力用端子から導出信号が得られるものであり、ケースに位置決め固定された抵抗素子層の上方に、弾性導電金属板からなる平面基板を配するのみで機能するものにできるため、少ない部品点数および組立工数で高い組み合わせ精度を必要とせず容易に製作でき、しかも操作部材によって操作される部材が弾性導電金属板からなる平面基板であるため、繰り返して操作されても、平面基板の伸びや変形などは少ないものであるので長期に亘って安定した操作性を有するものにできるという作用を有する。
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】変更
【補正の内容】
【００２８】
本発明の請求項５に記載の発明は、絶縁基板に形成された円形リング状の抵抗素子層に所定の絶縁ギャップを空けて導電部が対向配置され、操作部材の操作により、上記抵抗素子層と上記導電部とを部分的に接触させた状態で、上記抵抗素子層に電圧を印加してそれによって得られる導出信号を基に上記接触位置を検出する多方向入力装置を備え、上記操作部材への操作で上記抵抗素子層と上記導電部とを部分的に接触させた状態での導出信号によって操作方向を検出し、また所定時間内に検出された結果に応じて、その接触部分に対応する方向へのカーソルなどの移動速度を可変させるように制御したことを特徴とする多方向入力装置を備えた電子機器としたものであり、操作部材への３６０°の全方位に向かう操作に応じて機能させることができる、使い易くて操作性に優れた高機能なものにできるという作用を有する。
【手続補正２２】
【補正対象書類名】明細書
【補正対象項目名】００２９
【補正方法】変更
【補正の内容】
【００２９】
本発明の請求項６に記載の発明は、請求項５記載の発明において、所定時間内に略同一位置の抵抗素子層と導電部との部分的な接触した導出信号が二度続けて検出された場合、または所定時間以上の上記導出信号が継続して検出された場合に、その接触部分に対応する方向へのカーソルなどの移動速度を可変させるように制御したものであり、片手での操作も可能である簡単な操作部材への操作で、さらに使い勝手のよいものにできるという作用を有する。
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】変更
【補正の内容】
【００３１】
以上のように本発明の多方向入力装置および多方向入力装置を備えた電子機器は、操作部材への全方位に向かう操作で対向配置された抵抗素子層と導電部とを部分的に接触させてその抵抗素子層の円形リングの３６０度の全方向に亘って分解能の高い位置検出ができ、また操作部材への押下操作で中央位置に配されたスイッチ操作ができる簡単な構成のものであるから、小型・薄型化が容易であると共に、操作部材の全方位に亘る操作方向の分解能すなわち入力方向の分解能が高いものを実現できるという有利な効果が得られる。
【手続補正２５】
【補正対象書類名】明細書
【補正対象項目名】００３２
【補正方法】削除
【補正の内容】
【手続補正２６】
【補正対象書類名】明細書
【補正対象項目名】０１６９
【補正方法】変更
【補正の内容】
【０１６９】
そして、３１０は、円形リング状の抵抗素子層３０５の外径よりも若干大きく形成された操作用孔３１０Ａを上面部に備えた金属カバーであり、その操作用孔３１０Ａと抵抗素子層３０５との位置を対応させた状態で、平面基板３０８の上面側から被せられ、その上面部に一体形成されたカシメ固定脚部３１０Ｂが、平面基板３０８とケース３０３とを抱き込みケース３０３底面でカシメ固定されることによって、両部材を結合させている。
【手続補正２７】
【補正対象書類名】明細書
【補正対象項目名】０１９３
【補正方法】変更
【補正の内容】
【０１９３】
そして、上記操作部材２００の操作部２０８に対する下方への押下力を除くと、可動接点３１４、スカート状の弾性部２０７が元の形状に復元し、それらの復元力で操作部材２００は図２８に示す中立状態に戻る。
【手続補正２８】
【補正対象書類名】明細書
【補正対象項目名】０２２５
【補正方法】変更
【補正の内容】
【０２２５】
本発明による多方向入力装置および多方向入力装置を備えた電子機器は、操作部材への全方位に向かう操作で対向配置された抵抗素子層と導電部とを部分的に接触させてその抵抗素子層の円形リングの３６０度の全方向に亘って分解能の高い位置検出ができ、また操作部材への押下操作で中央位置に配されたスイッチ操作ができる簡単な構成のものであるから、小型・薄型化が容易であると共に、操作部材の全方位に亘る操作方向の分解能すなわち入力方向の分解能が高いものとして実現することができるという特徴を有し、各種電子機器の入力操作部などを構成する等に有用である。